(57)【要約】【課題】  コストを低くすることができるともに、利便性に優れた衛星放送受信装置および衛星放送受信システムを提供する。【解決手段】  ＢＳコンバータ３は、アンテナ１で受信した衛星からのＢＳ信号２を中間周波数のＢＳ−ＩＦ信号４に変換する。ＢＳチューナ６は、ＢＳ−ＩＦ信号４から指示されたチャネルの周波数成分を抽出して選局を行なう選局処理と、選局された信号より映像／音声信号７を復調する復調処理とを行う。ＡＶ信号無線送信機１１は、映像／音声信号７をＩＥＥＥ８０２．１１Ｂ規格のＲＦ信号１５に変調する。防水加工されたダイガスト製のシールドケース１０は、ＢＳコンバータ３、ＢＳチューナ６、およびＡＶ信号無線送信機１１を収容する。【選択図】        図１
2005051512.tif 000002
【特許請求の範囲】
【請求項１】
アンテナで受信した衛星からの放送信号を中間周波数の信号に変換するコンバータと、
前記中間周波数の信号から指示されたチャネルの周波数成分を抽出して選局を行なう選局処理と、選局された信号より映像および音声信号を復調する復調処理とを行うチューナと、
前記映像および音声信号を無線信号に変調して出力する無線通信機と、
前記コンバータ、前記チューナ、および前記無線通信機を収容するシールドケースとを備えた衛星放送受信装置。
【請求項２】
前記コンバータ、前記チューナ、および前記無線通信機が、同一のシールドケースに収容されている、請求項１記載の衛星放送受信装置。
【請求項３】
前記コンバータと、前記チューナと、前記無線通信機とが同一の基板に配置され、当該基板の配線パターンを通じて、前記中間周波数の信号と、前記映像および音声信号とが伝送される、請求項２記載の衛星放送受信装置。
【請求項４】
前記コンバータ、前記チューナ、および前記無線通信機がそれぞれ他から隔離されるように仕切るシールド壁をさらに備えた、請求項３記載の衛星放送受信装置。
【請求項５】
前記シールドケースは、ダイカストで製造されたものである、請求項１記載の衛星放送受信装置。
【請求項６】
前記無線通信機は、前記映像および音声信号をＩＥＥＥ８０２．１１Ｂ規格に準拠した無線信号に変調する、請求項１記載の衛星放送受信装置。
【請求項７】
前記衛星放送受信装置は、商用の交流電力を直流電力に変換し、当該直流電力を前記コンバータ、前記チューナ、および前記無線通信機に供給する変換器をさらに備えた請求項１記載の衛星放送受信装置。
【請求項８】
前記衛星放送受信装置は、前記コンバータ、前記チューナ、および前記無線通信機に電力を供給する充電池をさらに備えた請求項１記載の衛星放送受信装置。
【請求項９】
衛星からの放送信号を受信する第１のアンテナと、
前記第１のアンテナで受信した放送信号を中間周波数の信号に変換するコンバータ、
前記中間周波数の信号から指示されたチャネルの周波数成分を抽出して選局を行なう選局処理と、選局された信号より映像および音声信号を復調する復調処理とを行うチューナ、
前記映像および音声信号を無線信号に変調して出力する無線通信機、
前記コンバータ、前記チューナ、および前記無線通信機を収容するシールドケース、
および前記無線信号を送信する第２のアンテナとを含む衛星放送受信装置と、
前記無線信号を受信する第３のアンテナと、
前記第３のアンテナで受信した無線信号を映像および音声信号に復調する無線通信機とを備えた衛星放送受信システム。
【発明の詳細な説明】
【技術分野】
【０００１】
本発明は、衛星放送受信装置および衛星放送受信システムに関し、特に、屋内に設置する構成部分と屋外に設置する構成部分との切り分けに関する。
【背景技術】
【０００２】
従来から、衛星放送を受信する衛星放送受信システムが提案され、その一部は実用に供されている。たとえば、特許文献１には、ＢＳチューナ一体型アンテナ装置が開示されている。このＢＳチューナ一体型アンテナ装置は、衛星放送電波を受信するアンテナと、衛星放送電波を映像信号と音声信号とに復調しテレビジョン受信機に映し出すチューナとが一体となっている。
【０００３】
ところで、このＢＳチューナ一体型アンテナ装置は、ＢＳチューナとアンテナが一体化されているので、屋内に設置しなければならない。そのため、アンテナが微弱な電波を受信できないという問題がある。
【０００４】
次に、上記以外の従来の衛星放送受信システムについて説明する。
【０００５】
図３は、従来の衛星放送受信システムの構成を示す。同図を参照して、衛星放送受信システム３００は、アンテナ１と、ＢＳコンバータ３と、ＢＳチューナ６と、モニタ９とを備える。
【０００６】
アンテナ１は、衛星から送信されてくる１０ＧＨｚ帯のＢＳ信号２を受信して、導波管２４に出力する。
【０００７】
ＢＳコンバータ３は、導波管２４から受けた１０ＧＨｚ帯のＢＳ信号２を１ＧＨｚ帯のＢＳ−ＩＦ信号４に変換して、ケーブル５に出力する。
【０００８】
ＢＳチューナ６は、ケーブル５から受けたＢＳ−ＩＦ信号４から指示されたチャネルの周波数成分を抽出して選局を行なう選局処理と、選局された信号より映像信号および音声信号（以下、映像／音声信号７）を復調する復調処理とを行ない、復調された映像／音声信号７を信号ケーブル８に出力する。また、ＢＳチューナ６は、ケーブル５を通じて、ＢＳコンバータ３に電力を供給する。
【０００９】
モニタ９は、信号ケーブル８から受けた映像／音声信号７を提示する。
【００１０】
ここで、アンテナ１は、衛星からの微弱なＢＳ信号２を効率よく受信するために、屋外に設置される。また、ＢＳコンバータ３も、導波管２４を短くしてＣ／Ｎ比(Carrier to Noise Ration）の劣化を防止するために、アンテナ１の近傍、つまり、屋外に設置される。ＢＳコンバータ３は、屋外に設置されるため、防水加工されたシールドケース４０に収容されている。
【００１１】
一方、ＢＳ放送の利用者は、通常、屋内でモニタ９を視聴するため、モニタ９およびそれと信号ケーブル８で接続されているＢＳチューナ５は、屋内に設置される。
【００１２】
したがって、ＢＳコンバータ３とＢＳチューナ６とを接続するケーブル５は、屋外と屋内とを結ぶため、その全長は長く、概ね１０〜３０ｍとなる。
【特許文献１】特開平９−８６８６号公報
【発明の開示】
【発明が解決しようとする課題】
【００１３】
ところで、ケーブル５は、固有の通過損失と、ＶＳＷＲ(Voltage Standing Wave Ratio)特性を有する。そのため、ケーブル５が長いと、ＢＳ−ＩＦ信号４のレベルが低下するとともに、Ｃ／Ｎ比の劣化が生じる。これによる視聴妨害が発生しないようにするため、通常では、ＢＳコンバータ３およびＢＳチューナ６は、５〜１５ｄＢ程度の余裕を持って利得設計がなされている。また、ＢＳチューナ６の入力コネクタは、ケーブル５のＶＳＷＲ特性を良好にし、かつＢＳコンバータ３に電源を安全に供給できるような構造に設計される。しかしながら、このような設計上の配慮によって、コストが上昇することになる。
【００１４】
また、ケーブル５の屋内配線の工事は、専門の工事業者によって行なわれるため、そのためのコストが別途かかるとともに、利用者にとっては煩わしい。
【００１５】
さらに、ＢＳコンバータ３およびＢＳチューナ６は、ケーブル５との接続のためのスペースが確保できる場所に設置されなければならず、利便性が損なわれる。
【００１６】
それゆえに、本発明の目的は、コストを低くすることができるともに、利便性に優れた衛星放送受信装置および衛星放送受信システムを提供することである。
【課題を解決するための手段】
【００１７】
上記課題を解決するために、本発明に係る衛星放送受信装置は、アンテナで受信した衛星からの放送信号を中間周波数の信号に変換するコンバータと、中間周波数の信号から指示されたチャネルの周波数成分を抽出して選局を行なう選局処理と、選局された信号より映像および音声信号を復調する復調処理とを行なうチューナと、映像および音声信号を無線信号に変調して出力する無線通信機と、コンバータ、チューナ、および無線通信機を収容するシールドケースとを備える。
【００１８】
好ましくは、コンバータ、チューナ、および無線通信機が、同一のシールドケースに収容されている。
【００１９】
好ましくは、コンバータと、チューナと、無線通信機とが同一の基板に配置され、当該基板の配線パターンを通じて、中間周波数の信号と、映像および音声信号とが伝送される。
【００２０】
好ましくは、コンバータ、チューナ、および無線通信機がそれぞれ他から隔離されるように仕切るシールド壁をさらに備える。
【００２１】
好ましくは、シールドケースは、ダイカストで製造されたものである。
【００２２】
好ましくは、無線通信機は、映像および音声信号をＩＥＥＥ８０２．１１Ｂ規格に準拠した無線信号に変調する。
【００２３】
好ましくは、衛星放送受信装置は、商用の交流電力を直流電力に変換し、当該直流電力をコンバータ、チューナ、および無線通信機に供給する変換器をさらに備える。
【００２４】
好ましくは、衛星放送受信装置は、コンバータ、チューナ、および無線通信機に電力を供給する充電池をさらに備える。
【００２５】
また、本発明に係る衛星放送受信システムは、衛星からの放送信号を受信する第１のアンテナと、第１のアンテナで受信した放送信号を中間周波数の信号に変換するコンバータ、中間周波数の信号から指示されたチャネルの周波数成分を抽出して選局を行なう選局処理と、選局された信号より映像および音声信号を復調する復調処理とを行うチューナ、映像および音声信号を無線信号に変調して出力する無線通信機、コンバータ、チューナ、および無線通信機を収容するシールドケース、および無線信号を送信する第２のアンテナとを含む衛星放送受信装置と、無線信号を受信する第３のアンテナと、第３のアンテナで受信した無線信号を映像および音声信号に復調する無線通信機とを備える。
【発明の効果】
【００２６】
本発明に係る衛星放送受信装置および衛星放送受信システムによれば、コストを低くすることができるともに、利用者に優れた利便性を提供することができる。
【発明を実施するための最良の形態】
【００２７】
以下、本発明の実施の形態について、図面を用いて説明する。
【００２８】
図１は、本発明の実施の形態に係る衛星放送受信システムの構成を示す。同図を参照して、この衛星放送受信システム１００は、アンテナ１と、衛星放送受信装置２０と、提示用受信装置３０と、モニタ９とを備える。アンテナ１および衛星放送受信装置２０は、屋外に設置され、提示用受信装置３０およびモニタ９は、屋内に設置される。
【００２９】
衛星放送受信装置２０は、ＢＳコンバータ３と、ＢＳチューナ６と、ＡＶ信号無線送信機１１と、電源部２１と、アンテナ１６とを備える。電源部２１は、ＡＣ／ＤＣ変換器１２および充電池１３とからなる。
【００３０】
ＢＳコンバータ３と、ＢＳチューナ６と、ＡＶ信号無線送信機１１と、ＡＣ／ＤＣ変換器１２と、充電池１３とは、基板３５上に配置されている。
【００３１】
この基板３５は、シールドケース１０に収容されている。シールドケース１０は、ダイカストで製造されたものである。ダイカストとは、溶かした合金（アルミニウムや亜鉛など）を金型の中に高圧を加えて流し込んで成型する方法をいう。ダイカストで製造されたシールドケース１０を用いることにより、高周波のシールド効果と防水効果が得られる。
【００３２】
アンテナ１は、衛星から送信されてくる１０ＧＨｚ帯のＢＳ信号２を受信して、導波管２４を通じて、シールドケース１０の内部のＢＳコンバータ３に出力する。
【００３３】
ＢＳコンバータ３は、導波管２４から受けた１０ＧＨｚ帯のＢＳ信号２を１ＧＨｚ帯のＢＳ−ＩＦ信号４に変換して、数ｃｍの長さの信号用の配線パターン２５を通じてＢＳチューナ６に送る。
【００３４】
ＢＳチューナ６は、信号用の配線パターン２５から受けたＢＳ−ＩＦ信号４から指示されたチャネルの周波数成分を抽出して選局を行なう選局処理と、選局された信号より映像／音声信号７を復調する復調処理とを行ない、復調された映像／音声信号７を数ｃｍの長さの信号用の配線パターン２６を通じてＡＶ信号無線送信機１１に送る。
【００３５】
ＡＶ信号無線送信機１１は、信号用の配線パターン２６から受けた映像／音声信号７をＡ／Ｄ変換し、ＩＥＥＥ８０２．１１Ｂ規格に準拠した２．４ＧＨｚ帯のＲＦ信号１５に変調して、アンテナケーブル２２を通じてシールドケース１０の外部のアンテナ１６に出力する。
【００３６】
ＩＥＥＥ８０２．１１Ｂ規格に準拠した２．４ＧＨｚ帯のＲＦ信号１５は、以下の利点がある。まず、電波法では、この帯域の電波の利用について免許が不要とされているため、利用者は、この衛星放送受信システム１００を利用するために、免許をわざわざ取得する必要がない。
【００３７】
また、このＲＦ信号１５は、最大１１Ｍｂｐｓの伝送速度を有するため、４．５ＭＨｚの帯域を持つ放送用の映像信号を伝送するのに適している。さらに、ＲＦ信号１５は、デジタル伝送されるため、画質および音質の劣化が生じず、通信方式がスペクトラム拡散通信方式のため、ノイズに強い。
【００３８】
また、このＲＦ信号１５を送受信するＡＶ信号無線送信機１１およびＡＶ信号無線受信機１７は、広く市場に普及しているため、コストが低い。
【００３９】
再び、図１を参照して、アンテナ１６は、アンテナケーブル２２から受けたＲＦ信号１５を放射する。
【００４０】
ＡＣ／ＤＣ変換器１２は、商用の交流電力を直流電力に変換して、ＡＶ信号無線送信機１１、ＢＳチューナ６、およびＢＳコンバータ３に数ｃｍの長さの電力用の配線パターン２７を通じて供給する。
【００４１】
充電池１３は、ＡＶ信号無線送信機１１、ＢＳチューナ６、およびＢＳコンバータ３に電力用の配線パターン２７を通じて電力を供給する。充電池１３は、ＡＣ／ＤＣ変換器１２から受けた電力を保持し、ＡＣ／ＤＣ変換器１２が電力を供給していないときに、電力を供給する。
【００４２】
ＡＣ／ＤＣ変換器１２および充電池１３によって、屋外に設置されている衛星放送受信装置２０の駆動のために、外部から特別な直流電源を与える必要がなくなる。
【００４３】
図１に示すように、ＢＳコンバータ３、ＢＳチューナ６、ＡＶ信号無線送信機１１、および電源部２１の各機能ブロックは、それぞれ、シールド壁１４によって他の機能ブロックから隔離されている。これにより、各機能ブロックで扱われ、配線パターンを伝送するＢＳ信号、ＢＳ−ＩＦ信号、ＲＦ信号、および電力の相互間で干渉を防止でき、Ｃ／Ｎ比の劣化を防止することができる。
【００４４】
提示用受信装置３０は、アンテナ１８と、ＡＶ信号無線受信機１７とを備える。
【００４５】
アンテナ１８は、ＲＦ信号１５を受信して、アンテナケーブル２３に出力する。
【００４６】
ＡＶ信号無線受信機１７は、アンテナケーブル２３から受けたＲＦ信号１５を映像／音声信号７に復調して、信号ケーブル８に出力する。
【００４７】
モニタ９は、信号ケーブル８から受けた復調された映像／音声信号７を提示する。
【００４８】
以上のように、本実施の形態に係る衛星放送受信システムは、屋外の装置と屋内の装置との間の信号の伝送を無線通信により行なう構成にしたので、ケーブル５を用いなくてもよくなり、その結果、視聴妨害が発生しないような設計上の配慮が不要となり、ケーブルの屋内配線のための工事が不要となり、衛星放送受信装置の設置場所の自由度も広がる。つまり、コストを低下することができるともに、優れた利便性を利用者に提供できる。
【００４９】
本発明は、上記の実施形態に限定されるものでなく、たとえば、以下のような変形例も含まれる。
【００５０】
（１）  ケーブル接続
本発明の実施形態では、すべての機能ブロックは、同一の基板上に配置され、各機能ブロック間は、配線パターンで接続されるものとしたが、これに限定されるものではない。
【００５１】
たとえば、すべての機能ブロックは、基板上には配置されないものとしてもよい。そして、各機能ブロック間は、短いケーブルで接続されるものとしてもよい。
【００５２】
あるいは、いくつかの機能ブロック、たとえば、ＢＳコンバータ３、ＢＳチューナ６、およびＡＶ信号無線送信機１１のみが同一の基板上に配置され、その他の機能ブロックが別の基板に配置されるか、もしくは、基板上に配置されないものとしてもよい。そして、同一基板上の機能ブロック間は、配線パターンで接続されるものとし、異なる基板上の機能ブロック間は、ケーブルで接続されるものとしてもよい。
【００５３】
（２）  電源部２１のシールド壁
本発明の実施形態に係る衛星放送受信装置２０では、電源部２１は、シールド壁１４によって他の機能ブロックから隔離されているものとしたが、電源部２１が与える他の機能ブロックに与える影響は、比較的小さいので、電源部２１を隔離するためのシールド壁１４を設けないものとしてもよい。
【００５４】
（３）  充電池とＡＣ／ＤＣ変換器
本発明の実施形態に係る衛星放送受信装置２０は、充電池１３およびＡＣ／ＤＣ変換器１２の両方を備えたが、一方のみを備えるものとしてもよい。
【００５５】
（４）  制御信号
本発明の実施形態では、衛星放送受信装置２０から提示用受信装置３０へ、映像／音声信号７のみの通信が行なわれたが、その他の信号の通信を行なうものとしてもよい。
【００５６】
すなわち、提示用受信装置３０および衛星放送受信装置２０側にＡＶ信号無線送受信機を設けて、衛星放送受信装置２０のＡＶ信号無線送受信機から、提示用受信装置３０のＡＶ信号無線送受信機に映像／音声信号７を送り、提示用受信装置３０のＡＶ信号無線送受信機から、衛星放送受信装置のＡＶ信号無線送受信機に制御信号を送るものとしてもよい。衛星放送受信装置２０は、この制御信号に基づいて、電源部２１において充電池１３とＡＣ／ＤＣ変換器１２のいずれの電力を用いるかの選択、またはＢＳチューナ６のチャネルの指定などの制御を行なうものとしてもよい。
【００５７】
また、衛星放送受信装置は、提示用受信装置３０からの制御信号によって上述のような制御を行なうのではなく、図示しない制御回路を備えるものとし、この制御回路を用いて自発的に上述のような制御を行なうものとしてもよい。
【００５８】
（５）  シールドケース
本発明の実施形態では、１個のシールドケース１０にすべての機能ブロックが収容されたが、これに限定するものではない。
【００５９】
図２は、衛星放送受信装置の変形例の構成を示す。同図に示すように、この衛星放送受信装置５０では、シールドケース６０にＢＳコンバータ３とＢＳチューナ６とが収容され、シールドケース７０にＡＶ信号無線送信機１１が収容され、シールドケース８０に電源部が収容される。各機能ブロック間は、ケーブル６１〜６５で接続される。
【００６０】
また、別の変形例として、各機能ブロックごとに、別個のシールドケースに収容されるものとしてもよい。
【００６１】
（６）  ＡＶ信号無線送信機
本発明の実施形態では、ＡＶ信号無線送信機とＡＶ信号受信機との間の通信に、ＩＥＥＥ８０２．１１Ｂ規格に準拠したＲＦ信号を用いたが、これに限定するものではない。屋外と屋内の間の通信に適した無線信号であれば、その他の無線信号を用いるものとしてもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の実施形態に係る衛星放送受信システムの構成を示す図である。
【図２】本発明の実施形態に係る衛星放送受信装置の変形例の構成を示す図である。
【図３】従来の衛星放送受信システムの構成を示す図である。
【符号の説明】
【００６４】
１，１６，１８  アンテナ、２  ＢＳ信号、３  ＢＳコンバータ、４  ＢＳ−ＩＦ信号、５  ケーブル、６  ＢＳチューナ、７  映像／音声信号、８，６１，６２  信号ケーブル、６３，６４，６５  電源ケーブル、９  モニタ、１０，４０，６０，７０，８０  シールドケース、１００、１１  ＡＶ信号無線送信機、１２  ＡＣ／ＤＣ変換器、１３  充電池、１４  シールド壁、１５  ＲＦ信号、１７  ＡＶ信号無線受信機、２０，５０  衛星放送受信装置、２１  電源部、２２，２３  アンテナケーブル、２４  導波管、２５，２６  信号用の配線パターン、２７  電力用の配線パターン、３０  提示用受信装置、３５  基板、１００，３００  衛星放送受信システム。
【図１】
2005051512.tif 000003
【図２】
2005051512.tif 000004
【図３】
2005051512.tif 000005